(57)【要約】  本発明の実施形態は、画像鮮鋭化処理方法および装置、ならびに撮影端末を提供し、前記方法は、処理されるべき画像情報を取得するステップと、画像情報に対してエッジ保存フィルタリング処理を行って基礎画像情報と詳細画像情報とを取得するステップであって、基礎画像情報は画像エッジ情報を含む、ステップと、画像エッジ情報に基づいて、詳細画像情報に対して鮮鋭化処理を行うために必要な鮮鋭化利得を決定するステップと、鮮鋭化利得を使用することによって、詳細画像情報に対して鮮鋭化処理を行うステップとを含む。鮮鋭化処理のために必要な鮮鋭化利得は、画像エッジ情報によって決定されることが実施され、それによって、鮮鋭化された画像情報に対してノイズ増幅を抑制するとともにovershootの現象を回避し、鮮鋭化された画像の品質を改善する。
2016503211.tif 000002
【特許請求の範囲】
【請求項１】
画像鮮鋭化処理方法であって、
処理されるべき画像情報を取得するステップと、
前記画像情報に対してエッジ保存フィルタリング処理を行って基礎画像情報と詳細画像情報とを取得するステップであって、前記基礎画像情報は画像エッジ情報を有する、ステップと、
前記画像エッジ情報に基づいて、前記詳細画像情報に対して鮮鋭化処理を行うために必要な鮮鋭化利得を決定するステップと、
前記鮮鋭化利得を使用することによって、前記詳細画像情報に対して鮮鋭化処理を行うステップと
を有する方法。
【請求項２】
前記画像エッジ情報に基づいて、前記詳細画像情報に対して鮮鋭化処理を行うために必要な鮮鋭化利得を決定する前記ステップの前に、前記方法は、
前記基礎画像情報に対してエッジ検出処理を行って前記画像エッジ情報を取得するステップ
をさらに有する、請求項１に記載の方法。
【請求項３】
前記画像情報に対してエッジ保存フィルタリング処理を行って基礎画像情報と詳細画像情報とを取得する前記ステップは、
エッジ保存フィルタを使用することによって、前記画像情報に対してエッジ保存フィルタリング処理を行って前記基礎画像情報を取得するステップと、
前記画像情報から前記基礎画像情報を差し引いて前記詳細画像情報を取得するステップと
を有する、請求項１または２に記載の方法。
【請求項４】
前記画像エッジ情報に基づいて、前記詳細画像情報に対して鮮鋭化処理を行うために必要な鮮鋭化利得を決定する前記ステップの前に、前記方法は、
前記画像エッジ情報および前記画像情報のメタデータに基づいて、前記詳細画像情報に対して鮮鋭化処理を行うために必要な前記鮮鋭化利得を決定するステップ
を有する、請求項１乃至３のいずれか１項に記載の方法。
【請求項５】
前記画像エッジ情報および前記画像情報のメタデータに基づいて、前記詳細画像情報に対して鮮鋭化処理を行うために必要な前記鮮鋭化利得を決定する前記ステップは、
前記画像情報の光感度と露光時間とに基づいて、鮮鋭度アルゴリズムパラメータグループを決定するステップであって、前記鮮鋭度アルゴリズムパラメータグループは、前記画像情報の前記鮮鋭化利得の最大値と、前記鮮鋭化利得の最小値と、前記画像エッジ情報の振幅の増加に伴って前記最小値から前記最大値に増加する前記鮮鋭化利得の第１勾配と、前記振幅の前記増加に伴って前記最大値から前記最小値に減少する前記鮮鋭化利得の第２勾配と、前記鮮鋭化利得が前記最大値と前記最小値の半分であるときの前記画像エッジ情報の第１振幅および第２振幅とを有し、前記第１振幅は前記第２振幅よりも小さい、ステップと、
前記画像エッジ情報と鮮鋭度アルゴリズムパラメータグループとに基づいて、前記詳細画像情報に対して鮮鋭化処理を行うために必要な前記鮮鋭化利得を決定するステップと
を有する、請求項４に記載の方法。
【請求項６】
前記画像エッジ情報と前記鮮鋭度アルゴリズムパラメータグループとに基づいて、前記詳細画像情報に対して鮮鋭化処理を行うために必要な前記鮮鋭化利得を決定する前記ステップは、
式（１）
【数１】
2016503211.tif 000013
を使用することによって計算を行って前記鮮鋭化利得Sharpmapを取得するステップを有し、
edgInfoは前記画像エッジ情報の前記振幅であり、Peakは前記鮮鋭化利得の前記最大値であり、Lowは前記鮮鋭化利得の前記最小値であり、order1は前記振幅の前記増加に伴って前記最小値から前記最大値に増加する前記鮮鋭化利得の前記第１勾配であり、order2は前記振幅の前記増加に伴って前記最大値から前記最小値に減少する前記鮮鋭化利得の前記第２勾配であり、Cutoff1は前記鮮鋭化利得が前記最大値と前記最小値の半分であるときの前記画像エッジ情報の前記第１振幅であり、Cutoff2は前記鮮鋭化利得が前記最大値と前記最小値の半分であるときの前記画像エッジ情報の前記第２振幅である、請求項５に記載の方法。
【請求項７】
前記画像情報の光感度と露光時間とに基づいて、鮮鋭度アルゴリズムパラメータグループを決定する前記ステップの前に、前記方法は、
前記画像情報の前記光感度および前記露光時間と、前記鮮鋭度アルゴリズムパラメータグループとの間の対応関係を決定するステップ
をさらに有する、請求項５または６に記載の方法。
【請求項８】
前記画像情報の前記光感度および前記露光時間と、前記鮮鋭度アルゴリズムパラメータグループとの間の対応関係を決定する前記ステップは、
少なくとも１つの処理されるべき画像情報と前記画像情報のメタデータとを取得するステップであって、前記メタデータは光感度と露光時間とを有する、ステップと
エッジ保存フィルタを使用することによって、前記画像情報に対してエッジ保存フィルタリング処理を行って基礎画像情報を取得するステップであって、前記基礎画像情報は画像エッジ情報を有する、ステップと、
前記画像情報から前記基礎画像情報を差し引いて前記詳細画像情報を取得するステップと、
前記基礎画像情報に対してエッジ検出処理を行って前記画像エッジ情報を取得するステップと、
前記鮮鋭度アルゴリズムパラメータグループを調整して、少なくとも１つの鮮鋭度アルゴリズムパラメータグループを取得するステップと、
式（１）
【数２】
2016503211.tif 000014
を使用することによって計算を行って鮮鋭化利得Sharpmapを取得するステップであって、
edgInfoは前記画像エッジ情報の振幅であり、Peakは前記鮮鋭化利得の最大値であり、Lowは前記鮮鋭化利得の最小値であり、order1は振幅の増加に伴って前記最小値から前記最大値に増加する前記鮮鋭化利得の第１勾配であり、order2は前記振幅の前記増加に伴って前記最大値から前記最小値に減少する前記鮮鋭化利得の第２勾配であり、Cutoff1は前記鮮鋭化利得が前記最大値と前記最小値の半分であるときの前記画像エッジ情報の第１振幅であり、Cutoff2は前記鮮鋭化利得が前記最大値と前記最小値の半分であるときの前記画像エッジ情報の第２振幅である、ステップと、
前記鮮鋭化利得を使用することによって、前記詳細画像情報に対して鮮鋭化処理を行うステップと、
前記基礎画像情報と前記鮮鋭化された詳細画像情報とに対して合算を行って前記鮮鋭化された画像情報を取得するステップと、
前記鮮鋭化された画像情報の解像度がプリセット値に達するとき、前記画像情報の前記光感度と前記露光時間とに対応する鮮鋭度アルゴリズムパラメータグループを決定するステップと、
ガウス過程を使用することによって、且つ前記少なくとも１つの画像情報の前記光感度および前記露光時間と、前記対応する鮮鋭度アルゴリズムパラメータグループとに基づいて、前記画像情報の前記光感度および前記露光時間と、前記鮮鋭度アルゴリズムパラメータグループとの間の前記対応関係を取得するステップと
を有する、請求項７に記載の方法。
【請求項９】
画像鮮鋭化処理装置であって、
処理されるべき画像情報を取得し、前記画像情報に対してエッジ保存フィルタリング処理を行って基礎画像情報と詳細画像情報とを取得するように構成され、前記基礎画像情報は画像エッジ情報を有する、取得モジュールと、
前記画像エッジ情報に基づいて、前記詳細画像情報に対して鮮鋭化処理を行うために必要な鮮鋭化利得を決定するように構成される利得決定モジュールと、
前記鮮鋭化利得を使用することによって、前記詳細画像情報に対して鮮鋭化処理を行うように構成される鮮鋭化処理モジュールと
を有する装置。
【請求項１０】
前記取得モジュールは、前記利得決定モジュールが前記画像エッジ情報に基づいて、前記詳細画像情報に対して鮮鋭化処理を行うために必要な前記鮮鋭化利得を決定する前に、前記基礎画像情報に対してエッジ検出処理を行って前記画像エッジ情報を取得するようにさらに構成される、請求項９に記載の装置。
【請求項１１】
前記取得モジュールは、具体的には、エッジ保存フィルタを使用することによって、前記画像情報に対してエッジ保存フィルタリング処理を行って前記基礎画像情報を取得し、前記画像情報から前記基礎画像情報を差し引いて前記詳細画像情報を取得するように構成される、請求項９または１０に記載の装置。
【請求項１２】
前記利得決定モジュールは、具体的には、前記画像エッジ情報および前記画像情報のメタデータに基づいて、前記詳細画像情報に対して鮮鋭化処理を行うために必要な前記鮮鋭化利得を決定するように構成される、請求項９乃至１１に記載の方法。
【請求項１３】
前記利得決定モジュールは、具体的には、前記画像情報の光感度と露光時間とに基づいて、鮮鋭度アルゴリズムパラメータグループを決定するように構成され、前記鮮鋭度アルゴリズムパラメータグループは、前記画像情報の前記鮮鋭化利得の最大値と、前記鮮鋭化利得の最小値と、前記画像エッジ情報の振幅の増加に伴って前記最小値から前記最大値に増加する前記鮮鋭化利得の第１勾配と、前記振幅の前記増加に伴って前記最大値から前記最小値に減少する前記鮮鋭化利得の第２勾配と、前記鮮鋭化利得が前記最大値と前記最小値の半分であるときの前記画像エッジ情報の第１振幅および第２振幅とを有し、前記第１振幅は前記第２振幅よりも小さく、且つ、前記画像エッジ情報と鮮鋭度アルゴリズムパラメータグループとに基づいて、前記詳細画像情報に対して鮮鋭化処理を行うために必要な前記鮮鋭化利得を決定するように構成される、請求項１２に記載の装置。
【請求項１４】
前記利得決定モジュールは、具体的には、
式（１）
【数３】
2016503211.tif 000015
を使用することによって計算を行って鮮鋭化利得Sharpmapを取得するように構成され、
edgInfoは前記画像エッジ情報の前記振幅であり、Peakは前記鮮鋭化利得の前記最大値であり、Lowは前記鮮鋭化利得の前記最小値であり、order1は前記振幅の前記増加に伴って前記最小値から前記最大値に増加する前記鮮鋭化利得の前記第１勾配であり、order2は前記振幅の前記増加に伴って前記最大値から前記最小値に減少する前記鮮鋭化利得の前記第２勾配であり、Cutoff1は前記鮮鋭化利得が前記最大値と前記最小値の半分であるときの前記画像エッジ情報の前記第１振幅であり、Cutoff2は前記鮮鋭化利得が前記最大値と前記最小値の半分であるときの前記画像エッジ情報の前記第２振幅である、請求項１３に記載の装置。
【請求項１５】
前記利得決定モジュールが前記画像情報の前記光感度と前記露光時間とに基づいて前記鮮鋭度アルゴリズムパラメータグループを決定する前に、前記画像情報の前記光感度および前記露光時間と、前記鮮鋭度アルゴリズムパラメータグループとの間の対応関係を決定するように構成される対応関係決定モジュールをさらに有する、請求項１３または１４に記載の装置。
【請求項１６】
前記対応関係決定モジュールは、
少なくとも１つの処理されるべき画像情報と前記画像情報のメタデータとを取得するように構成され、前記メタデータは光感度と露光時間とを有する、第１取得ユニットと、
エッジ保存フィルタを使用することによって、前記画像情報に対してエッジ保存フィルタリング処理を行って基礎画像情報を取得するように構成され、前記基礎画像情報は画像エッジ情報を有し、且つ、前記画像情報から前記基礎画像情報を差し引いて前記詳細画像情報を取得し、前記基礎画像情報に対してエッジ検出処理を行って前記画像エッジ情報を取得するように構成される第２取得ユニットと、
前記鮮鋭度アルゴリズムパラメータグループを調整して、少なくとも１つの鮮鋭度アルゴリズムパラメータグループを取得し、式（１）
【数４】
2016503211.tif 000016
を使用することによって計算を行って鮮鋭化利得Sharpmapを取得するように構成される第３取得ユニットであって、
edgInfoは前記画像エッジ情報の振幅であり、Peakは前記鮮鋭化利得の最大値であり、Lowは前記鮮鋭化利得の最小値であり、order1は振幅の増加に伴って前記最小値から前記最大値に増加する前記鮮鋭化利得の第１勾配であり、order2は前記振幅の前記増加に伴って前記最大値から前記最小値に減少する前記鮮鋭化利得の第２勾配であり、Cutoff1は前記鮮鋭化利得が前記最大値と前記最小値の半分であるときの前記画像エッジ情報の第１振幅であり、Cutoff2は前記鮮鋭化利得が前記最大値と前記最小値の半分であるときの前記画像エッジ情報の第２振幅である、第３取得ユニットと、
前記鮮鋭化利得を使用することによって、前記詳細画像情報に対して鮮鋭化処理を行うように構成される鮮鋭化ユニットと、
前記基礎画像情報と前記鮮鋭化された詳細画像情報とに対して合算を行って前記鮮鋭化された画像情報を取得し、前記鮮鋭化された画像の解像度がプリセット値に達するとき、前記画像情報の前記光感度と前記露光時間とに対応する鮮鋭度アルゴリズムパラメータグループを決定するように構成される決定ユニットと、
ガウス過程を使用することによって、且つ前記少なくとも１つの画像情報の前記光感度および前記露光時間と、前記対応する鮮鋭度アルゴリズムパラメータグループとに基づいて、前記画像情報の前記光感度および前記露光時間と、前記鮮鋭度アルゴリズムパラメータグループとの間の前記対応関係を取得するように構成される対応関係確立ユニットと
を有する、請求項１５に記載の装置。
【請求項１７】
請求項９乃至１６のいずれか１項に記載の前記画像鮮鋭化処理装置を有する撮影端末。
【請求項１８】
前記撮影端末は携帯電話またはタブレットコンピュータを有する、請求項１７に記載の撮影端末。
【発明の詳細な説明】
【技術分野】
【０００１】
本願は、2013年1月7日に中国特許庁に出願された、"IMAGE SHARPENING PROCESSING METHOD AND APPARATUS, AND SHOOTING TERMINAL"と題する、中国特許出願第CN201310005184.6に優先権を主張し、その全体が参照によって本明細書に組み込まれる。
【０００２】
本発明の態様は、画像処理技術に関し、詳細には、画像鮮鋭化処理方法および装置、ならびに撮影端末に関する。
【背景技術】
【０００３】
レンズ、絞り（aperture）およびセンサ等のハードウェア面への制限のために、携帯電話によって撮影された画像の品質とデジタルカメラによって撮影された画像の品質との間には比較的大きなギャップが存在し、携帯電話によって撮影された画像は、比較的低い解像度（definition）を有する。コストの理由により、ハードウェア条件が改善されていないという原則の上で、画像の解像度は画像鮮鋭化処理を介して改善されることができる。
【０００４】
従来技術では、撮影画像は、ハイパスフィルタまたはローパスフィルタを使用することによって、低周波基礎（base）画像および高周波詳細（detail）画像とに分解される。高周波詳細画像情報は画像の解像度を決定するため、高度な詳細画像情報を取得するために高周波詳細画像情報と鮮鋭化利得とに乗算が行われる。次いで、鮮鋭化された画像を取得するために基礎画像情報と高度な詳細画像情報とに加算が行われ、それによって、画像の解像度を改善する。
【０００５】
本発明を実施するプロセスにおいて、発明者は、従来技術では、オーバーシュート(overshoot)およびノイズ増幅の現象が、鮮鋭化された画像内で発生する可能性があり、それによって低画質を引き起こすことを認めた。
【発明の概要】
【課題を解決するための手段】
【０００６】
本発明は、鮮鋭化された画像情報に対してノイズ増幅を抑制するとともにovershootの現象が発生することを回避するために、画像鮮鋭化処理方法および装置、ならびに撮影端末を提供し、鮮鋭化された画像の品質を改善する。
【０００７】
第１構成に基づくと、本発明の態様は画像鮮鋭化処理方法を提供し、前記方法は、
処理されるべき画像情報を取得するステップと、
画像情報に対してエッジ保存フィルタリング処理を行って基礎画像情報と詳細画像情報とを取得するステップであって、基礎画像情報は画像エッジ情報を含む、ステップと、
画像エッジ情報に基づいて、詳細画像情報に対して鮮鋭化処理を行うために必要な鮮鋭化利得を決定するステップと、
鮮鋭化利得を使用することによって、詳細画像情報に対して鮮鋭化処理を行うステップと
を含む。
【０００８】
第１構成の第１可能実施方法では、画像エッジ情報に基づいて、詳細画像情報に対して鮮鋭化処理を行うために必要な鮮鋭化利得を決定するステップの前に、前記方法は、
基礎画像情報に対してエッジ検出処理を行って画像エッジ情報を取得するステップ
をさらに含む。
【０００９】
第１構成または第１構成の第１可能実施方法を参照すると、第1構成の第２可能実施方法では、画像情報に対してエッジ保存フィルタリング処理を行って基礎画像情報と詳細画像情報とを取得するステップは、
エッジ保存フィルタを使用することによって、画像情報に対してエッジ保存フィルタリング処理を行って基礎画像情報を取得するステップと、
画像情報から基礎画像情報を差し引いて詳細画像情報を取得するステップと
を含む。
【００１０】
第１構成、第１構成の第１可能実施方法または第１構成の第２可能実施方法を参照すると、第1構成の第３可能実施方法では、画像エッジ情報に基づいて、詳細画像情報に対して鮮鋭化処理を行うために必要な鮮鋭化利得を決定するステップは、
画像エッジ情報および画像情報のメタデータに基づいて、詳細画像情報に対して鮮鋭化処理を行うために必要な鮮鋭化利得を決定するステップ
を含む。
【００１１】
第1構成の第３可能実施方法を参照すると、第1構成の第４可能実施方法では、
画像エッジ情報および画像情報のメタデータに基づいて、詳細画像情報に対して鮮鋭化処理を行うために必要な鮮鋭化利得を決定するステップは、
画像情報の光感度と露光時間とに基づいて、鮮鋭度アルゴリズムパラメータグループを決定するステップであって、鮮鋭度アルゴリズムパラメータグループは、画像情報の鮮鋭化利得の最大値と、鮮鋭化利得の最小値と、画像エッジ情報の振幅の増加に伴って最小値から最大値に増加する鮮鋭化利得の第１勾配と、振幅の増加に伴って最大値から最小値に減少する鮮鋭化利得の第２勾配と、鮮鋭化利得が最大値と最小値の半分であるときの画像エッジ情報の第１振幅および第２振幅とを含み、第１振幅は第２振幅よりも小さい、ステップと、
画像エッジ情報と鮮鋭度アルゴリズムパラメータグループとに基づいて、詳細画像情報に対して鮮鋭化処理を行うために必要な鮮鋭化利得を決定するステップと
を含む。
【００１２】
第1構成の第４可能実施方法を参照すると、第1構成の第５可能実施方法では、画像エッジ情報と鮮鋭度アルゴリズムパラメータグループとに基づいて、詳細画像情報に対して鮮鋭化処理を行うために必要な鮮鋭化利得を決定するステップは、
式（１）
【００１３】
【数１】
2016503211.tif 000003
【００１４】
を使用することによって計算を行って鮮鋭化利得Sharpmapを取得するステップを含み、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である。
【００１５】
第1構成の第４可能実施方法または第１構成の第５可能実施方法を参照すると、第1構成の第６可能実施方法では、画像情報の光感度と露光時間とに基づいて、鮮鋭度アルゴリズムパラメータグループを決定するステップの前に、前記方法は、
画像情報の光感度および露光時間と、鮮鋭度アルゴリズムパラメータグループとの間の対応関係を決定するステップ
をさらに含む。
【００１６】
第1構成の第６可能実施方法を参照すると、第1構成の第７可能実施方法では、画像情報の光感度および露光時間と、鮮鋭度アルゴリズムパラメータグループとの間の対応関係を決定するステップは、
少なくとも１つの処理されるべき画像情報と画像情報のメタデータとを取得するステップであって、メタデータは光感度と露光時間とを含む、ステップと
エッジ保存フィルタを使用することによって、画像情報に対してエッジ保存フィルタリング処理を行って基礎画像情報を取得するステップであって、基礎画像情報は画像エッジ情報を含む、ステップと、
画像情報から基礎画像情報を差し引いて詳細画像情報を取得するステップと、
基礎画像情報に対してエッジ検出処理を行って画像エッジ情報を取得するステップと、
鮮鋭度アルゴリズムパラメータグループを調整して、少なくとも１つの鮮鋭度アルゴリズムパラメータグループを取得するステップと、
式（１）
【００１７】
【数２】
2016503211.tif 000004
【００１８】
を使用することによって計算を行って鮮鋭化利得Sharpmapを取得するステップであって、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である、ステップと、
鮮鋭化利得を使用することによって、詳細画像情報に対して鮮鋭化処理を行うステップと、
基礎画像情報と鮮鋭化された詳細画像情報とに対して合算を行って鮮鋭化された画像情報を取得するステップと、
鮮鋭化された画像の解像度がプリセット値に達するとき、画像情報の光感度と露光時間とに対応する鮮鋭度アルゴリズムパラメータグループを決定するステップと、
ガウス過程を使用することによって、且つ少なくとも１つの画像情報の光感度および露光時間と、対応する鮮鋭度アルゴリズムパラメータグループとに基づいて、画像情報の光感度および露光時間と、鮮鋭度アルゴリズムパラメータグループとの間の対応関係を取得するステップと
を含む。
【００１９】
第２構成に基づくと、本発明の態様は画像鮮鋭化処理装置を提供し、前記装置は、
処理されるべき画像情報を取得し、画像情報に対してエッジ保存フィルタリング処理を行って基礎画像情報と詳細画像情報とを取得するように構成され、基礎画像情報は画像エッジ情報を含む、取得モジュールと、
画像エッジ情報に基づいて、詳細画像情報に対して鮮鋭化処理を行うために必要な鮮鋭化利得を決定するように構成される利得決定モジュールと、
鮮鋭化利得を使用することによって、詳細画像情報に対して鮮鋭化処理を行うように構成される鮮鋭化処理モジュールと
を含む。
【００２０】
第２構成の第１可能実施方法では、取得モジュールは、利得決定モジュールが画像エッジ情報に基づいて、詳細画像情報に対して鮮鋭化処理を行うために必要な鮮鋭化利得を決定する前に、基礎画像情報に対してエッジ検出処理を行って画像エッジ情報を取得するようにさらに構成される。
【００２１】
第２構成または第２構成の第１可能実施方法を参照すると、第２可能実施方法では、取得モジュールは、具体的には、エッジ保存フィルタを使用することによって、画像情報に対してエッジ保存フィルタリング処理を行って基礎画像情報を取得し、画像情報から基礎画像情報を差し引いて詳細画像情報を取得するように構成される。
【００２２】
第２構成、第２構成の第１可能実施方法または第2構成の第２可能実施方法を参照すると、第２構成の第３可能実施方法では、利得決定モジュールは、具体的には、画像エッジ情報および画像情報のメタデータに基づいて、詳細画像情報に対して鮮鋭化処理を行うために必要な鮮鋭化利得を決定するように構成される。
【００２３】
第２構成の第３可能実施方法を参照すると、第２構成の第４可能実施方法では、利得決定モジュールは、具体的には、画像情報の光感度と露光時間とに基づいて、鮮鋭度アルゴリズムパラメータグループを決定するように構成され、鮮鋭度アルゴリズムパラメータグループは、画像情報の鮮鋭化利得の最大値と、鮮鋭化利得の最小値と、画像エッジ情報の振幅の増加に伴って最小値から最大値に増加する鮮鋭化利得の第１勾配と、振幅の増加に伴って最大値から最小値に減少する鮮鋭化利得の第２勾配と、鮮鋭化利得が最大値と最小値の半分であるときの画像エッジ情報の第１振幅および第２振幅とを含み、第１振幅は第２振幅よりも小さく、且つ、画像エッジ情報と鮮鋭度アルゴリズムパラメータグループとに基づいて、詳細画像情報に対して鮮鋭化処理を行うために必要な鮮鋭化利得を決定するように構成される。
【００２４】
第２構成の第４可能実施方法を参照すると、第２構成の第５可能実施方法では、
利得決定モジュールは、具体的には、
式（１）
【００２５】
【数３】
2016503211.tif 000005
【００２６】
を使用することによって計算を行って鮮鋭化利得Sharpmapを取得するように構成され、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である。
【００２７】
第２構成の第４可能実施方法または第２構成の第５可能実施方法を参照すると、第２構成の第７可能実施方法では、前記方法は、
利得決定モジュールが画像情報の光感度と露光時間とに基づいて鮮鋭度アルゴリズムパラメータグループを決定する前に、画像情報の光感度および露光時間と、鮮鋭度アルゴリズムパラメータグループとの間の対応関係を決定するように構成される対応関係決定モジュールをさらに含む。
【００２８】
第２構成の第６可能実施方法を参照すると、第２構成の第７可能実施方法では、
対応関係決定モジュールは、
少なくとも１つの処理されるべき画像情報と画像情報のメタデータとを取得するように構成され、メタデータは光感度と露光時間とを含む、第１取得ユニットと、
エッジ保存フィルタを使用することによって、画像情報に対してエッジ保存フィルタリング処理を行って基礎画像情報を取得するように構成され、基礎画像情報は画像エッジ情報を含み、且つ、画像情報から基礎画像情報を差し引いて詳細画像情報を取得し、基礎画像情報に対してエッジ検出処理を行って画像エッジ情報を取得するように構成される第２取得ユニットと、
鮮鋭度アルゴリズムパラメータグループを調整して、少なくとも１つの鮮鋭度アルゴリズムパラメータグループを取得し、式（１）
【００２９】
【数４】
2016503211.tif 000006
【００３０】
を使用することによって計算を行って鮮鋭化利得Sharpmapを取得するように構成される第３取得ユニットであって、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である、第３取得ユニットと、
鮮鋭化利得を使用することによって、詳細画像情報に対して鮮鋭化処理を行うように構成される鮮鋭化ユニットと、
基礎画像情報と鮮鋭化された詳細画像情報とに対して合算を行って鮮鋭化された画像情報を取得し、鮮鋭化された画像の解像度がプリセット値に達するとき、画像情報の光感度と露光時間とに対応する鮮鋭度アルゴリズムパラメータグループを決定するように構成される決定ユニットと、
ガウス過程を使用することによって、且つ少なくとも１つの画像情報の光感度および露光時間と、対応する鮮鋭度アルゴリズムパラメータグループとに基づいて、画像情報の光感度および露光時間と、鮮鋭度アルゴリズムパラメータグループとの間の対応関係を取得するように構成される対応関係確立ユニットと
を含む。
【００３１】
第３構成に基づくと、本発明の態様は撮影端末をさらに提供し、前記撮影端末は上述の画像鮮鋭化処理装置を含む。
【００３２】
第３構成の第１可能実施方法では、撮影端末は携帯電話またはタブレットコンピュータを含む。
【００３３】
本発明の態様で提供される画像鮮鋭化処理方法および装置、ならびに撮影端末を使用することによって、エッジ保存フィルタリング処理が画像に対して行われ、その結果、画像エッジ情報は基礎画像情報内に保存されることができ、さらに詳細画像情報に対して鮮鋭化処理を行うために必要な鮮鋭化利得が画像エッジ情報に基づいて決定される。従って、鮮鋭化利得を使用することによって詳細画像情報に対して鮮鋭化処理を行うプロセスでは、鮮鋭化された画像情報に対してノイズ増幅が抑制されるとともにovershootの現象が回避され、それによって、鮮鋭化された画像の品質を改善する。
【図面の簡単な説明】
【００３４】
本発明の実施形態または従来技術における技術的解決手段をより明確に説明するために、以下では、実施形態または従来技術を説明するために必要な添付図面を簡潔に説明する。明らかに、以下の説明における添付図面は本発明の実施形態のいくつかを示し、当業者は創造的努力なくしてこれら添付図面から他の図面をさらに導出することができる。
【００３５】
【図１】図１は、本発明に係る画像鮮鋭化処理方法の第１実施形態のフローチャートである。
【図２】図２は、本発明に係る画像鮮鋭化処理方法の第２実施形態のフローチャートである。
【図３】図３は、図２における画像エッジ情報の振幅に関する鮮鋭化利得の概略図である。
【図４】図４は、図２における画像情報の光感度および露光時間と、鮮鋭度アルゴリズムパラメータグループとの間の対応関係を決定するステップのフローチャートである。
【図５】図５は、本発明に係る画像鮮鋭化処理装置の第１実施形態の概略構成図である。
【図６】図６は、本発明に係る画像鮮鋭化処理装置の第２実施形態の概略構成図である。
【図７】図７は、本発明に係る画像鮮鋭化処理装置の第３実施形態の概略構成図である。
【図８】図８は、本発明に係る撮影端末の第１実施形態の概略構成図である。
【発明を実施するための形態】
【００３６】
本発明の実施形態の目的、技術的解決手段および利点をより明確にするために、以下では、本発明の実施形態における添付図面を参照して、本発明の実施形態における技術的解決手段を明確かつ十分に説明する。明らかに、説明される実施形態は本発明の実施形態の全てではなく一部である。本発明の実施形態に基づいて、創造的努力なくして当業者によって取得される他の実施形態の全ては、本発明の保護範囲に包含されるべきである。
【００３７】
図１は、本発明に係る画像鮮鋭化処理方法の第１実施形態のフローチャートである。図１に示されるように、本実施形態は、画像鮮鋭化処理装置を使用することによって実施されることができるとともに、前記装置は、本実施形態における方法を実施するために撮影端末に統合されてもよい。本実施形態における方法は、以下のステップを含んでもよい。
【００３８】
ステップ１０１：処理されるべき画像情報を取得する。
【００３９】
本実施形態では、処理されるべき画像情報が取得される。処理されるべき画像情報は、画像処理アルゴリズムを使用することによって処理されない画像情報であってもよく、例えば、撮影端末によって撮影された画像情報であってもよく、撮影端末は、携帯電話、タブレットコンピュータ（PAD）、ノートブックコンピュータまたは多機能プレイヤー等の撮影レンズを有する装置であってもよい。これらの撮影端末のハードウェア条件に対する制限のために、撮影画像情報の品質は比較的劣る。従って、画像情報が処理される必要がある。
【００４０】
ステップ１０２：画像情報に対してエッジ保存フィルタリング処理を行って基礎画像情報と詳細画像情報とを取得し、基礎画像情報は画像エッジ情報を含む。
【００４１】
本実施形態では、処理されるべき画像情報に対してエッジ保存フィルタリング処理が行われる。処理されるべき画像は、基礎画像情報と詳細画像情報とに分解されてもよく、基礎画像情報は低周波画像情報であってもよく、詳細画像情報は高周波画像情報であってもよく、取得された基礎画像情報は画像エッジ情報を含む。画像情報に対して行われるエッジ保存フィルタリング処理は、従来技術におけるエッジ保存フィルタリング処理と一致し、詳細は、本実施形態においてここでは繰り返し説明されないことは留意されるべきである。
【００４２】
ステップ１０３：画像エッジ情報に基づいて、詳細画像情報に対して鮮鋭化処理を行うために必要な鮮鋭化利得を決定する。
【００４３】
本実施形態では、保存フィルタリングの後に取得される、基礎画像情報内の画像エッジ情報に基づいて、詳細画像情報に対して鮮鋭化処理を行うために必要な鮮鋭化利得が決定されてもよい。処理されるべき画像情報に対してエッジ保存フィルタリング処理が行われるとき、画像エッジ情報は低周波基礎画像情報内に保持され、処理されるべき画像情報におけるノイズは、高周波詳細画像情報内に保持される。従って、画像エッジ情報およびノイズは分離されることができ、画像エッジ情報はノイズによって干渉されず、このようにして取得された画像エッジ情報は比較的良好な振幅を有する。画像エッジ情報における振幅が過度に低い場合、画像情報がエッジ情報をほとんど有しないとともに、画像内の平坦な領域であることを示し、ノイズが平坦な領域に存在する可能性は高い。従って、ノイズ増幅を抑制するためには、詳細画像情報に対して鮮鋭化処理を行うために必要な鮮鋭化利得はより小さくあるべきである。画像エッジ情報における振幅が過度に高い場合、画像情報が多くのエッジ情報を有することを示し、overshootの現象が発生することを回避するためには、詳細画像情報に対して鮮鋭化処理を行うために必要な鮮鋭化利得はより小さくあるべきである。画像エッジ情報における振幅が、値の範囲の中間にある場合、詳細画像情報に対する鮮鋭化処理を行うための実際の適用シナリオに基づいて、適切な鮮鋭化利得が選択されることができる。
【００４４】
ステップ１０４：鮮鋭化利得を使用することによって、詳細画像情報に対して鮮鋭化処理を行う。
【００４５】
本実施形態では、鮮鋭化された詳細画像情報を取得するために、画像エッジ情報に基づいて決定された鮮鋭化利得を使用することによって、詳細画像情報に対して鮮鋭化処理が行われる。鮮鋭化利得を使用することによって、詳細画像情報に対して行われる鮮鋭化処理は、従来技術における鮮鋭化処理と一致し、詳細は、本実施形態においてここでは繰り返し説明されないことは留意されるべきである。さらに、鮮鋭化された画像情報を取得するために、基礎画像情報と鮮鋭化された詳細画像情報とに対して合算が行われ、すなわち、基礎画像情報と鮮鋭化された詳細画像情報とに対して、合成が行われる。
【００４６】
本発明の第１実施形態で提供される画像鮮鋭化処理方法を使用することによって、エッジ保存フィルタリング処理が画像情報に対して行われ、その結果、画像エッジ情報は基礎画像情報内に保存されることができ、さらに詳細画像情報に対して鮮鋭化処理を行うために必要な鮮鋭化利得が画像エッジ情報に基づいて決定される。従って、鮮鋭化利得を使用することによって詳細画像情報に対して鮮鋭化処理を行うプロセスでは、鮮鋭化された画像情報に対してノイズ増幅が抑制されるとともにovershootの現象が回避され、それによって、鮮鋭化された画像の品質を改善する。
【００４７】
図２は、本発明に係る画像鮮鋭化処理方法の第２実施形態のフローチャートである。図２に示されるように、本実施形態は、画像鮮鋭化処理装置を使用することによって実施されることができるとともに、前記装置は、本実施形態における方法を実施するために撮影端末に統合されてもよい。本実施形態における方法は、以下のステップを含んでもよい。
【００４８】
ステップ２０１：処理されるべき画像情報を取得する。
【００４９】
ステップ２０２：エッジ保存フィルタを使用することによって、画像情報に対してエッジ保存フィルタリング処理を行って基礎画像情報を取得する。
【００５０】
本実施形態では、処理されるべき画像情報が取得された後、処理されるべき画像情報は画像処理アルゴリズムを使用することによって処理されない画像情報であってもよい。基礎画像情報を取得するために、エッジ保存フィルタを使用することによって、処理されるべき画像情報に対してエッジ保存フィルタリング処理が行われ、基礎画像情報は低周波画像情報であってもよいとともに、基礎画像情報は画像エッジ情報を含む。エッジ保存フィルタを使用することによって、画像情報に対して行われるエッジ保存フィルタリング処理は、従来技術におけるエッジ保存フィルタリング処理と一致し、詳細は、本実施形態においてここでは繰り返し説明されないことは留意されるべきである。処理されるべき画像情報は複数の画素によって形成されるため、取得される基礎画像情報は画素の基礎画像情報である。
【００５１】
ステップ２０３：画像情報から基礎画像情報を差し引いて詳細画像情報を取得する。
【００５２】
本実施形態では、基礎画像情報がフィルタ保存フィルタを使用することによって取得された後、詳細画像情報を取得するために、基礎画像情報は処理されるべき画像情報から差し引かれ、詳細画像情報は画像エッジ情報を排除し、高周波画像情報であり、画素の詳細画像情報である。
【００５３】
ステップ２０４：基礎画像情報に対してエッジ検出処理を行って画像エッジ情報を取得する。
【００５４】
本実施形態では、基礎画像情報がフィルタ保存フィルタを使用することによって取得された後、基礎画像情報から画像エッジ情報を取得するために、基礎画像情報に対してエッジ検出処理が行われる。基礎画像情報に対して行われるエッジ検出処理は、従来技術におけるエッジ検出処理と一致し、詳細は、本実施形態においてここでは繰り返し説明されないことは留意されるべきである。加えて、画像エッジ情報は画素のエッジ情報であるとともに、各画素のエッジ情報は対応する画素の詳細画像情報に対応する。
【００５５】
ステップ２０５：画像エッジ情報および画像情報のメタデータに基づいて、詳細画像情報に対して鮮鋭化処理を行うために必要な鮮鋭化利得を決定する。
【００５６】
本実施形態では、詳細画像情報に対して鮮鋭化処理を行うために必要な鮮鋭化利得は、画像エッジ情報と画像情報のメタデータとに基づいて決定される、処理されるべき画像情報におけるノイズは、高周波詳細画像情報内に保持される。従って、画像エッジ情報およびノイズは分離されることができ、画像エッジ情報はノイズによって干渉されず、このようにして取得された画像エッジ情報は比較的良好な振幅を有する。画素の画像エッジ情報における振幅が過度に低い場合、画素がエッジ情報をほとんど有しないとともに、画像内の平坦な領域であることを示し、ノイズが平坦な領域に存在する可能性は高い。従って、ノイズ増幅を抑制するためには、画素の詳細画像情報に対して鮮鋭化処理を行うために必要な鮮鋭化利得はより小さくあるべきである。画素の画像エッジ情報における振幅が過度に高い場合、画素が多くのエッジ情報を有することを示し、overshootの現象が発生することを回避するためには、画素の詳細画像情報に対して鮮鋭化処理を行うために必要な鮮鋭化利得はより小さくあるべきである。画素の画像エッジ情報における振幅が値の範囲の中間にある場合、画質はそのときの撮影環境に密接に関係するため、詳細画像情報に対して鮮鋭化処理を行うために、画像情報のメタデータに対応する鮮鋭化利得は、画像が撮影されたときのメタデータに基づいて選択されることができ、それによって、処理されるべき画像情報が撮影されたときの環境情報に基づいて、画素の詳細画像情報に対して鮮鋭化処理を実施し、画質を改善する。
【００５７】
具体的な実施においては、画像情報のメタデータは画像情報が撮影されたときの光感度および露光時間を含む。従って、画像情報の光感度および露光時間と鮮鋭度アルゴリズムパラメータグループとの間の対応関係が予め決定されていてもよく、対応する鮮鋭度アルゴリズムパラメータグループは画像情報の光感度および露光時間に基づいて決定されてもよく、鮮鋭度アルゴリズムパラメータグループは、画像情報の鮮鋭化利得の最大値と、鮮鋭化利得の最小値と、画像エッジ情報の振幅の増加に伴って最小値から最大値に増加する鮮鋭化利得の第１勾配と、振幅の増加に伴って最大値から最小値に減少する鮮鋭化利得の第２勾配と、鮮鋭化利得が最大値と最小値の半分であるときの画像エッジ情報の第１振幅および第２振幅とを含み、第１振幅は第２振幅よりも小さい。次いで、詳細画像情報に対して鮮鋭化処理を行うために必要な鮮鋭化利得は、画像エッジ情報と鮮鋭度アルゴリズムパラメータグループとに基づいて決定される。
【００５８】
さらに、鮮鋭度アルゴリズムパラメータグループが画像情報の光感度と露光時間とに基づいて取得された後、詳細画像情報に対して鮮鋭化処理を行うために必要な鮮鋭化利得Sharpmapは式（１）
【００５９】
【数５】
2016503211.tif 000007
【００６０】
を使用することによって行われる計算によって取得され、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分（すなわち、(Peak+Low)/2）であるときの画像エッジ情報の第１振幅であり、Cutoff2は鮮鋭化利得が最大値と最小値の半分（すなわち、(Peak+Low)/2）であるときの画像エッジ情報の第２振幅であり、Peak、Low、order1、order2、Cutoff1、およびCutoff2は鮮鋭度アルゴリズムパラメータグループにおけるパラメータである。
【００６１】
edgeInfoは各画素の画像エッジ情報の振幅であり、振幅は異なる値であってもよく、式（１）を使用することによって取得される対応する鮮鋭化利得もまた異なる値であるため、図３に示されるように、画像エッジ情報の振幅に関する鮮鋭化利得曲線は式（１）を使用することによって取得されてもよい。画素の画像エッジ情報の振幅は過度に高いかまたは過度に低く、決定された鮮鋭化利得はおよそ１であることが図３からわかる。従って、ノイズ増幅を抑制し、且つovershootの現象が発生することを回避するために、画素の詳細画像情報に対して鮮鋭化処理は全く行われないか、または鮮鋭化処理はほとんど行われない。一方で、画素の画像エッジ情報の振幅が値の範囲の中間にあるとき、決定された鮮鋭化利得は１よりも大きな値である。従って、画質を改善するために、これらの画素の詳細画像情報に対して鮮鋭化処理が行われる。図３に示される各画素の画像エッジ情報の振幅を使用することによって、各画素に対応する鮮鋭化利得が決定されてもよく、次いで、対応する画素および決定された鮮鋭化利得の詳細画像情報に対して鮮鋭化処理が行われることがわかる。図３に示される鮮鋭化利得の値および画像エッジ情報の振幅は、説明のための例として使用され、本実施形態はこれに限定されるものではないことは留意されるべきである。
【００６２】
ステップ２０６：鮮鋭化利得を使用することによって、詳細画像情報に対して鮮鋭化処理を行う。
【００６３】
本実施形態では、各画素の鮮鋭化利得がステップ２０５において取得されてもよく、次いで、鮮鋭化された詳細画像情報を取得するために、各画素の鮮鋭化利得を使用することによって対応する画素の詳細画像情報に対して鮮鋭化処理が行われる。鮮鋭化利得を使用することによって、詳細画像情報に対して行われる鮮鋭化処理は、従来技術における鮮鋭化処理と一致し、詳細は、本実施形態においてここでは繰り返し説明されないことは留意されるべきである。さらに、鮮鋭化された画像情報を取得するために、基礎画像情報と鮮鋭化された詳細画像情報とに対して合算が行われ、すなわち、基礎画像情報と鮮鋭化された詳細画像情報とに対して、合成が行われる。
【００６４】
本発明の第２実施形態で提供される画像鮮鋭化処理方法を使用することによって、エッジ保存フィルタリング処理が画像情報に対して行われ、その結果、画像エッジ情報は基礎画像情報内に保存されることができ、さらに詳細画像情報に対して鮮鋭化処理を行うために必要な鮮鋭化利得が画像エッジ情報および画像情報のメタデータに基づいて決定される。従って、鮮鋭化利得を使用することによって詳細画像情報に対して鮮鋭化処理を行うプロセスでは、鮮鋭化された画像情報に対してノイズ増幅が抑制されるとともにovershootの現象が回避され、その一方で撮影環境に基づいて画像情報に対して鮮鋭化処理が行われてもよく、それによって、鮮鋭化された画像の品質を改善する。
【００６５】
以下では、画像情報の光感度および露光時間と、鮮鋭度アルゴリズムパラメータグループとの間の対応関係を決定する方法を詳細に説明する。図４は、図２における画像情報の光感度および露光時間と、鮮鋭度アルゴリズムパラメータグループとの間の対応関係を決定するステップのフローチャートである。図４に示されるように、対応関係を決定するための方法は、以下のステップを含んでもよい。
【００６６】
ステップ３０１：少なくとも１つの処理されるべき画像情報と画像情報のメタデータとを取得し、メタデータは光感度と露光時間とを含む。
【００６７】
本実施形態では、それぞれの処理されるべき画像情報が撮影されたときの少なくとも１つの処理されるべき画像情報とメタデータとが取得され、メタデータは光感度と露光時間とを含んでもよい。処理されるべき画像情報は、撮影端末によって撮影された画像情報であってもよく、撮影端末は、携帯電話、タブレットコンピュータ（PAD）、ノートブックコンピュータまたは多機能プレイヤー等の撮影レンズを有する装置であってもよく、メタデータは画像情報が撮影端末によって撮影されたときに生成された光感度および露光時間であってもよい。
【００６８】
ステップ３０２：エッジ保存フィルタを使用することによって、画像情報に対してエッジ保存フィルタリング処理を行って基礎画像情報を取得し、基礎画像情報は画像エッジ情報を含む。
【００６９】
本実施形態では、少なくとも１つの処理されるべき画像情報が取得された後、それぞれの基礎画像情報を取得するために、エッジ保存フィルタを使用することによって、それぞれの処理されるべき画像情報に対してエッジ保存フィルタリング処理が行われ、各基礎画像情報は画像エッジ情報を含む。エッジ保存フィルタを使用することによって画像情報に対して行われるエッジ保存フィルタリング処理は、従来技術におけるエッジ保存フィルタリング処理と一致し、詳細は、本実施形態においてここでは繰り返し説明されないことは留意されるべきである。処理されるべき画像情報は複数の画素によって形成されるため、取得される基礎画像情報は画素の基礎画像情報である。
【００７０】
ステップ３０３：画像情報から基礎画像情報を差し引いて詳細画像情報を取得する。
【００７１】
本実施形態では、それぞれの基礎画像情報がフィルタ保存フィルタを使用することによって取得された後、それぞれの詳細画像情報を取得するために、対応する基礎画像情報はそれぞれの処理されるべき画像情報から差し引かれることが実行され、詳細画像情報は画像エッジ情報を排除し、高周波画像情報であり、画素の詳細画像情報である。
【００７２】
ステップ３０４：基礎画像情報に対してエッジ検出処理を行って画像エッジ情報を取得する。
【００７３】
本実施形態では、基礎画像情報がフィルタ保存フィルタを使用することによって取得された後、それぞれの基礎画像情報からそれぞれの画像エッジ情報を取得するために、それぞれの基礎画像情報に対してエッジ検出処理が行われる。基礎画像情報に対して行われるエッジ検出処理は、従来技術におけるエッジ検出処理と一致し、詳細は、本実施形態においてここでは繰り返し説明されないことは留意されるべきである。加えて、画像エッジ情報は画素のエッジ情報であるとともに、各画素のエッジ情報は対応する画素の詳細画像情報に対応する。
【００７４】
ステップ３０５：鮮鋭度アルゴリズムパラメータグループを調整して、少なくとも１つの鮮鋭度アルゴリズムパラメータグループを取得する。
【００７５】
本実施形態では、鮮鋭度アルゴリズムパラメータグループは、画像情報の鮮鋭化利得の最大値と、鮮鋭化利得の最小値と、画像エッジ情報の振幅の増加に伴って最小値から最大値に増加する鮮鋭化利得の第１勾配と、振幅の増加に伴って最大値から最小値に減少する鮮鋭化利得の第２勾配と、鮮鋭化利得が最大値と最小値の半分であるときの画像エッジ情報の第１振幅および第２振幅とを含んでもよく、第１振幅は第２振幅よりも小さい。従って、それぞれの処理されるべき画像情報に対して、少なくとも１つの鮮鋭度アルゴリズムパラメータグループを取得するために、鮮鋭度アルゴリズムパラメータグループが調整される。
【００７６】
ステップ３０６：式（１）を使用することによって計算を行って鮮鋭化利得Sharpmapを取得する。
【００７７】
本実施形態では、それぞれの処理されるべき画像情報に対して、少なくとも１つの鮮鋭度アルゴリズムパラメータグループが取得された後、詳細画像情報に対して鮮鋭化処理を行うために必要な鮮鋭化利得Sharpmapは式（１）
【００７８】
【数６】
2016503211.tif 000008
【００７９】
を使用することによって行われる計算によって取得され、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分（すなわち、(Peak+Low)/2）であるときの画像エッジ情報の第１振幅であり、Cutoff2は鮮鋭化利得が最大値と最小値の半分（すなわち、(Peak+Low)/2）であるときの画像エッジ情報の第２振幅であり、Peak、Low、order1、order2、Cutoff1、およびCutoff2は鮮鋭度アルゴリズムパラメータグループにおけるパラメータである。
【００８０】
edgeInfoは各画素の画像エッジ情報の振幅であり、振幅は異なる値であってもよく、式（１）を使用することによって取得される対応する鮮鋭化利得もまた異なる値であるため、図３に示されるように、画像エッジ情報の振幅に関する鮮鋭化利得曲線は式（１）を使用することによって取得されてもよい。従って、それぞれの処理されるべき画像情報に対して、画像エッジ情報の振幅に関する鮮鋭化利得の少なくとも１つのグループが、少なくとも１つの鮮鋭度アルゴリズムパラメータグループと式（１）とを使用することによって取得されてもよい。
【００８１】
ステップ３０７：鮮鋭化利得を使用することによって、詳細画像情報に対して鮮鋭化処理を行う。
【００８２】
本実施形態では、画素の鮮鋭化利得の少なくとも１つのグループがステップ３０６において取得されてもよく、次いで、少なくとも１つの鮮鋭化された詳細画像情報を取得するために、各画素の鮮鋭化利得を使用することによって、対応する画素の詳細画像情報に対して鮮鋭化処理が行われる。鮮鋭化利得を使用することによって、詳細画像情報に対して行われる鮮鋭化処理は、従来技術における鮮鋭化処理と一致し、詳細は、本実施形態においてここでは繰り返し説明されないことは留意されるべきである。
【００８３】
ステップ３０８：基礎画像情報と鮮鋭化された詳細画像情報とに対して合算を行って鮮鋭化された画像情報を取得する。
【００８４】
本実施形態では、それぞれの処理されるべき画像情報に対して、少なくとも１つの鮮鋭化された画像情報を取得するために、基礎画像情報と少なくとも１つの対応する鮮鋭化された詳細画像情報とに対して合算が行われ、すなわち、基礎画像情報と鮮鋭化された詳細画像情報とに対して、合成が行われる。
【００８５】
ステップ３０９：鮮鋭化された画像情報の解像度がプリセット値に達するとき、画像情報の光感度と露光時間とに対応する鮮鋭度アルゴリズムパラメータグループを決定する。
【００８６】
本実施形態では、それぞれの処理されるべき画像情報に対して、少なくとも１つの鮮鋭化された画像情報の解像度がプリセット値に達したかどうかが決定される。鮮鋭化された画像情報の解像度がプリセット値に達したと決定された場合、鮮鋭化された画像が良好な結果を有することを示し、鮮鋭化処理のために選択された鮮鋭度アルゴリズムパラメータグループが決定され、鮮鋭度アルゴリズムパラメータは画像情報の光感度および露光時間に対応するものとしてマークされる。鮮鋭化された画像情報の解像度がプリセット値に達していないと決定された場合、鮮鋭化された画像は悪い結果を有することを示し、鮮鋭化処理のために選択された鮮鋭度アルゴリズムパラメータグループは不適切であることを示す。上述のプリセット値は適用シナリオおよび画像情報に基づいて決定され、本実施形態においてここでは限定されないことは留意されるべきである。画像情報の光感度および露光時間に対応する最適な鮮鋭度アルゴリズムパラメータグループは、プリセット値を使用することによって選択されてもよい。従って、少なくとも1つの画像情報の光感度および露光時間と、光感度および露光時間に対応する鮮鋭度アルゴリズムパラメータグループとを決定するために、それぞれの処理されるべき画像情報に対して、画像情報の光感度および露光時間に対応する鮮鋭度アルゴリズムパラメータグループが全て決定されることができる。
【００８７】
ステップ３１０：ガウス過程を使用することによって、且つ少なくとも１つの画像情報の光感度および露光時間と、対応する鮮鋭度アルゴリズムパラメータグループとに基づいて、画像情報の光感度および露光時間と、鮮鋭度アルゴリズムパラメータグループとの間の対応関係を取得する。
【００８８】
本実施形態では、少なくとも１つの画像情報の光感度および露光時間と、光感度および露光時間に対応する鮮鋭度アルゴリズムパラメータグループとが決定された後、画像情報の光感度および露光時間と、鮮鋭度アルゴリズムパラメータグループとの間の対応関係が、ガウス過程を使用することによって取得されてもよく、すなわち、画像情報の光感度および露光時間と、鮮鋭度パラメータグループとの間の関数関係Fが、ガウス過程法を使用することによって確立されてもよく、すなわち、鮮鋭度パラメータグループ＝F（光感度および露光情報）である。ガウス過程法は、従来技術におけるガウス過程法と一致し、詳細は、本実施形態においてここでは繰り返し説明されないことは留意されるべきである。
【００８９】
本実施形態では、光感度および露光時間と鮮鋭度アルゴリズムパラメータとの間の対応関係が、画像情報の光感度および露光時間と対応する最適な鮮鋭度アルゴリズムパラメータとを使用することによって確立される。次いで、いずれか１つの光感度および露光時間に対応する鮮鋭度パラメータグループが、光感度および露光時間と鮮鋭度アルゴリズムパラメータとの間の対応関係に基づいて取得されてもよい。次いで、鮮鋭化利得Shapmapが式（１）を使用することによって計算され、それによって、鮮鋭化処理はそのときの各画像情報の撮影環境に基づいて行われてもよいとともに、画像処理品質が様々な複雑な撮影環境において改善されることができることを実施する。
【００９０】
図５は、本発明に係る画像鮮鋭化処理装置の第１実施形態の概略構成図である。図５に示されるように、本実施形態における装置は、取得モジュール１１と、利得決定モジュール１２と、鮮鋭化処理モジュール１３とを含んでもよい。取得モジュール１１は、処理されるべき画像情報を取得するとともに、画像情報に対してエッジ保存フィルタリング処理を行って基礎画像情報と詳細画像情報とを取得するように構成され、基礎画像情報は画像エッジ情報を含む。利得決定モジュール１２は、画像エッジ情報に基づいて、詳細画像情報に対して鮮鋭化処理を行うために必要な鮮鋭化利得を決定するように構成される。鮮鋭化処理モジュール１３は、鮮鋭化利得を使用することによって、詳細画像情報に対して鮮鋭化処理を行うように構成される。
【００９１】
上述のモジュール間の詳細な対話プロセスに関しては、方法の実施形態の説明を参照されたい。従って、詳細はここでは繰り返されない。
【００９２】
本実施形態で提供される装置は、図１に示される方法の実施形態における技術的解決手段を実行するように構成されてもよいとともに、それらの実施原理および技術的効果は同様である。詳細に関しては、上述の実施形態における関係する説明を参照されたく、詳細はここでは繰り返し説明されない。
【００９３】
図６は、本発明に係る画像鮮鋭化処理装置の第２実施形態の概略構成図である。図６に示されるように、図５に示される装置の構成に基づいて、本実施形態における装置は、対応関係決定モジュール１４をさらに含んでもよい。取得モジュール１１は、利得決定モジュール１２が画像エッジ情報に基づいて、詳細画像情報に対して鮮鋭化処理を行うために必要な鮮鋭化利得を決定する前に、基礎画像情報に対してエッジ検出処理を行って画像エッジ情報を取得するようにさらに構成される。
【００９４】
さらに、取得モジュール１１は、具体的には、エッジ保存フィルタを使用することによって、画像情報に対してエッジ保存フィルタリング処理を行って基礎画像情報を取得し、画像情報から基礎画像情報を差し引いて詳細画像情報を取得するように構成される。利得決定モジュール１２は、具体的には、画像エッジ情報および画像情報のメタデータに基づいて、詳細画像情報に対して鮮鋭化処理を行うために必要な鮮鋭化利得を決定するように構成される。
【００９５】
さらに、利得決定モジュール１２は、具体的には、画像情報の光感度と露光時間とに基づいて、鮮鋭度アルゴリズムパラメータグループを決定するように構成され、鮮鋭度アルゴリズムパラメータグループは、画像情報の鮮鋭化利得の最大値と、鮮鋭化利得の最小値と、画像エッジ情報の振幅の増加に伴って最小値から最大値に増加する鮮鋭化利得の第１勾配と、振幅の増加に伴って最大値から最小値に減少する鮮鋭化利得の第２勾配と、鮮鋭化利得が最大値と最小値の半分であるときの画像エッジ情報の第１振幅および第２振幅とを含み、第１振幅は第２振幅よりも小さく、且つ、画像エッジ情報と鮮鋭度アルゴリズムパラメータグループとに基づいて、詳細画像情報に対して鮮鋭化処理を行うために必要な鮮鋭化利得を決定するように構成される。
【００９６】
可能実施方法では、利得決定モジュール１２は、具体的には、
式（１）
【００９７】
【数７】
2016503211.tif 000009
【００９８】
を使用することによって計算を行って鮮鋭化利得Sharpmapを取得するように構成され、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である。
【００９９】
対応関係決定モジュール１４は、利得決定モジュール１２が画像情報の光感度と露光時間とに基づいて鮮鋭度アルゴリズムパラメータグループを決定する前に、画像情報の光感度および露光時間と、鮮鋭度アルゴリズムパラメータグループとの間の対応関係を決定するように構成される。
【０１００】
さらに、対応関係決定モジュール１４は、第１取得ユニット１４１と、第２取得ユニット１４２と、第３取得ユニット１４３と、鮮鋭化ユニット１４４と、決定ユニット１４５と、対応関係確立ユニット１４６とを含み、第１取得ユニット１４１は、少なくとも１つの処理されるべき画像情報と画像情報のメタデータとを取得するように構成され、メタデータは光感度と露光時間とを含み、第２取得ユニット１４２は、エッジ保存フィルタを使用することによって、画像情報に対してエッジ保存フィルタリング処理を行って基礎画像情報を取得するように構成され、基礎画像情報は画像エッジ情報を含み、且つ、画像情報から基礎画像情報を差し引いて詳細画像情報を取得し、基礎画像情報に対してエッジ検出処理を行って画像エッジ情報を取得するように構成され、第３取得ユニット１４３は、鮮鋭度アルゴリズムパラメータグループを調整して、少なくとも１つの鮮鋭度アルゴリズムパラメータグループを取得し、式（１）
【０１０１】
【数８】
2016503211.tif 000010
【０１０２】
を使用することによって計算を行って鮮鋭化利得Sharpmapを取得するように構成され、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である。鮮鋭化ユニット１４４は、鮮鋭化利得を使用することによって、詳細画像情報に対して鮮鋭化処理を行うように構成される。決定ユニット１４５は、基礎画像情報と鮮鋭化された詳細画像情報とに対して合算を行って鮮鋭化された画像情報を取得し、鮮鋭化された画像の解像度がプリセット値に達するとき、画像情報の光感度と露光時間とに対応する鮮鋭度アルゴリズムパラメータグループを決定するように構成される。対応関係確立ユニット１４６は、ガウス過程を使用することによって、且つ少なくとも１つの画像情報の光感度および露光時間と、対応する鮮鋭度アルゴリズムパラメータグループとに基づいて、画像情報の光感度および露光時間と、鮮鋭度アルゴリズムパラメータグループとの間の対応関係を取得するように構成される。
【０１０３】
上述のモジュール間の詳細な対話プロセスに関しては、方法の実施形態の説明を参照されたい。従って、詳細はここでは繰り返されない。
【０１０４】
本実施形態で提供される装置は、図２に示される方法の実施形態における技術的解決手段を実行するように構成されてもよいとともに、それらの実施原理および技術的効果は同様である。詳細に関しては、上述の実施形態における関係する説明を参照されたく、詳細はここでは繰り返し説明されない。
【０１０５】
図７は、本発明に係る画像鮮鋭化処理装置の第３実施形態の概略構成図である。図７に示されるように、図７に示されるように、本実施形態における装置は、メモリ２１と、メモリ２１に接続されるプロセッサ２２とを含み、メモリ２１は一組のプログラムコードを格納するとともに、メモリ２１は不揮発性メモリ（Non-volatile Memory）を含んでもよい。プロセッサ２２は中央処理装置（Central Processing Unit，略してCPU）または特定用途向け集積回路ASIC（Application Specific Integrated Circuit，略してASIC）であってもよく、または、本発明の実施形態を実施するための１つまたは複数の統合された回路として構成されてもよい。プロセッサ２２は、以下の操作：
処理されるべき画像情報を取得する操作と、
画像情報に対してエッジ保存フィルタリング処理を行って基礎画像情報と詳細画像情報とを取得する操作であって、基礎画像情報は画像エッジ情報を含む、操作と、
画像エッジ情報に基づいて、詳細画像情報に対して鮮鋭化処理を行うために必要な鮮鋭化利得を決定する操作と、
鮮鋭化利得を使用することによって、詳細画像情報に対して鮮鋭化処理を行う操作と
を実行するためにメモリ２１内に格納されたプログラムコードを呼び出すように構成される。
【０１０６】
さらに、画像エッジ情報に基づいて、詳細画像情報に対して鮮鋭化処理を行うために必要な鮮鋭化利得を決定する操作の前に、操作は、
基礎画像情報に対してエッジ検出処理を行って画像エッジ情報を取得する操作
をさらに含む。
【０１０７】
さらに、画像情報に対してエッジ保存フィルタリング処理を行って基礎画像情報と詳細画像情報とを取得する操作は、
エッジ保存フィルタを使用することによって、画像情報に対してエッジ保存フィルタリング処理を行って基礎画像情報を取得する操作と、
画像情報から基礎画像情報を差し引いて詳細画像情報を取得する操作と
を含む。
【０１０８】
任意で、画像エッジ情報に基づいて、詳細画像情報に対して鮮鋭化処理を行うために必要な鮮鋭化利得を決定する操作は、
画像エッジ情報および画像情報のメタデータに基づいて、詳細画像情報に対して鮮鋭化処理を行うために必要な鮮鋭化利得を決定する操作
を含む。
【０１０９】
さらに、画像エッジ情報および画像情報のメタデータに基づいて、詳細画像情報に対して鮮鋭化処理を行うために必要な鮮鋭化利得を決定する操作は、
画像情報の光感度と露光時間とに基づいて、鮮鋭度アルゴリズムパラメータグループを決定する操作であって、鮮鋭度アルゴリズムパラメータグループは、画像情報の鮮鋭化利得の最大値と、鮮鋭化利得の最小値と、画像エッジ情報の振幅の増加に伴って最小値から最大値に増加する鮮鋭化利得の第１勾配と、振幅の増加に伴って最大値から最小値に減少する鮮鋭化利得の第２勾配と、鮮鋭化利得が最大値と最小値の半分であるときの画像エッジ情報の第１振幅および第２振幅とを含み、第１振幅は第２振幅よりも小さい、操作と、
画像エッジ情報と鮮鋭度アルゴリズムパラメータグループとに基づいて、詳細画像情報に対して鮮鋭化処理を行うために必要な鮮鋭化利得を決定する操作と
を含む。
【０１１０】
さらに、画像エッジ情報と鮮鋭度アルゴリズムパラメータグループとに基づいて、詳細画像情報に対して鮮鋭化処理を行うために必要な鮮鋭化利得を決定する操作は、
式（１）
【０１１１】
【数９】
2016503211.tif 000011
【０１１２】
を使用することによって計算を行って鮮鋭化利得Sharpmapを取得する操作を含み、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である。
【０１１３】
任意で、画像情報の光感度と露光時間とに基づいて、鮮鋭度アルゴリズムパラメータグループを決定する操作の前に、操作は、
画像情報の光感度および露光時間と、鮮鋭度アルゴリズムパラメータグループとの間の対応関係を決定する操作
をさらに含む。
【０１１４】
さらに、画像情報の光感度および露光時間と、鮮鋭度アルゴリズムパラメータグループとの間の対応関係を決定する操作は、
少なくとも１つの処理されるべき画像情報と画像情報のメタデータとを取得する操作であって、メタデータは光感度と露光時間とを含む、操作と
エッジ保存フィルタを使用することによって、画像情報に対してエッジ保存フィルタリング処理を行って基礎画像情報を取得する操作であって、基礎画像情報は画像エッジ情報を含む、操作と、
画像情報から基礎画像情報を差し引いて詳細画像情報を取得する操作と、
基礎画像情報に対してエッジ検出処理を行って画像エッジ情報を取得する操作と、
鮮鋭度アルゴリズムパラメータグループを調整して、少なくとも１つの鮮鋭度アルゴリズムパラメータグループを取得する操作と、
式（１）
【０１１５】
【数１０】
2016503211.tif 000012
【０１１６】
を使用することによって計算を行って鮮鋭化利得Sharpmapを取得する操作であって、
edgInfoは画像エッジ情報の振幅であり、Peakは鮮鋭化利得の最大値であり、Lowは鮮鋭化利得の最小値であり、order1は振幅の増加に伴って最小値から最大値に増加する鮮鋭化利得の第１勾配であり、order2は振幅の増加に伴って最大値から最小値に減少する鮮鋭化利得の第２勾配であり、Cutoff1は鮮鋭化利得が最大値と最小値の半分であるときの画像エッジ情報の第１振幅であり、Cutoff2は鮮鋭化利得が最大値と最小値の半分であるときの画像エッジ情報の第２振幅である、操作と、
鮮鋭化利得を使用することによって、詳細画像情報に対して鮮鋭化処理を行う操作と、
基礎画像情報と鮮鋭化された詳細画像情報とに対して合算を行って鮮鋭化された画像情報を取得する操作と、
鮮鋭化された画像の解像度がプリセット値に達するとき、画像情報の光感度と露光時間とに対応する鮮鋭度アルゴリズムパラメータグループを決定する操作と、
ガウス過程を使用することによって、且つ少なくとも１つの画像情報の光感度および露光時間と、対応する鮮鋭度アルゴリズムパラメータグループとに基づいて、画像情報の光感度および露光時間と、鮮鋭度アルゴリズムパラメータグループとの間の対応関係を取得する操作と
を含む。
【０１１７】
メモリ２１内に格納されたプログラムコードを呼び出すことによってプロセッサ２２によって具体的に実施される技術的解決手段に関しては、本発明における図１および図２に示される画像鮮鋭化処理方法の実施形態を参照されたく、それらの実施原理および技術的効果は同様であることは留意されるべきである。詳細に関しては、上述の実施形態における関係する説明を参照されたく、詳細はここでは繰り返し説明されない。
【０１１８】
図８は、本発明に係る撮影端末の第１実施形態の概略構成図である。図８に示されるように、本実施形態における撮影端末３０は、画像鮮鋭化処理装置３１を含んでもよく、画像鮮鋭化処理装置３１は図５から図７に示される画像鮮鋭化処理装置の実施形態のうちのいずれか１つにおける構成を使用してもよいとともに、対応して図１または図２に示される実施形態のうちのいずれか１つの技術的解決手段を実行することができる。それらの実施原理および技術的効果は同様である。詳細に関しては、上述の実施形態における関係する説明を参照されたく、詳細はここでは繰り返し説明されない。
【０１１９】
撮影端末３０は携帯電話またはタブレットコンピュータであってもよく、ノートブックコンピュータまたは多機能プレイヤー等の撮影レンズを有する装置であってもまたよい。
【０１２０】
当業者は、方法の実施形態のステップの全てまたは一部が、適切なハードウェアに命令するプログラムによって実施されてもよいことを理解することができる。プログラムは、コンピュータ可読記憶媒体内に格納されてもよい。プログラムを実行すると、方法の実施形態のステップが実行される。前述の記憶媒体は、ROM、RAM、磁気ディスクまたは光ディスクのような、プログラムコードを格納できる任意の媒体を含む。
【０１２１】
最後に、前述の実施形態は、単に本発明の技術的解決手段を説明するためのものであって、本発明を限定するためのものではないことは留意されるべきである。本発明は、前述の実施形態と関連して詳細に説明されるが、当業者は、本発明の実施形態の技術的解決手段の範囲を逸脱することなく、前述の実施形態で説明された技術的解決手段に修正をさらに行ったり、またはそれらの技術的特徴の一部またはすべてに同等置換をさらに行うことができることを理解すべきである。
【符号の説明】
【０１２２】
１１  取得モジュール
１２  利得決定モジュール
１３  鮮鋭化処理モジュール
１４  対応関係決定モジュール
２１  メモリ
２２  プロセッサ
３０  撮影端末
３１  画像鮮鋭化処理装置
１４１  第１取得ユニット
１４２  第２取得ユニット
１４３  第３取得ユニット
１４４  鮮鋭化ユニット
１４５  決定ユニット
１４６  対応関係確立ユニット
【図１】
2016503211.tif 000017
【図２】
2016503211.tif 000018
【図３】
2016503211.tif 000019
【図４】
2016503211.tif 000020
【図５】
2016503211.tif 000021
【図６】
2016503211.tif 000022
【図７】
2016503211.tif 000023
【図８】
2016503211.tif 000024
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
画像鮮鋭化処理方法であって、
処理されるべき画像を取得するステップと、
前記画像に対してエッジ保存フィルタリング処理を行って基礎画像情報と詳細画像情報とを取得するステップであって、前記基礎画像情報は画像エッジ情報を有する、ステップと、
前記画像エッジ情報に基づいて、前記詳細画像情報に対して鮮鋭化処理を行うために必要な鮮鋭化利得を決定するステップと、
前記鮮鋭化利得を使用することによって、前記詳細画像情報に対して鮮鋭化処理を行うステップと
を有する方法。
【請求項２】
前記画像エッジ情報に基づいて、前記詳細画像情報に対して鮮鋭化処理を行うために必要な鮮鋭化利得を決定する前記ステップの前に、前記方法は、
前記基礎画像情報に対してエッジ検出処理を行って前記画像エッジ情報を取得するステップ
をさらに有する、請求項１に記載の方法。
【請求項３】
前記画像に対してエッジ保存フィルタリング処理を行って基礎画像情報と詳細画像情報とを取得する前記ステップは、
エッジ保存フィルタを使用することによって、前記画像に対してエッジ保存フィルタリング処理を行って前記基礎画像情報を取得するステップと、
前記画像から前記基礎画像情報を差し引いて前記詳細画像情報を取得するステップと
を有する、請求項１または２に記載の方法。
【請求項４】
前記画像エッジ情報に基づいて、前記詳細画像情報に対して鮮鋭化処理を行うために必要な鮮鋭化利得を決定する前記ステップの前に、前記方法は、
前記画像エッジ情報および前記画像のメタデータに基づいて、前記詳細画像情報に対して鮮鋭化処理を行うために必要な前記鮮鋭化利得を決定するステップ
を有する、請求項１乃至３のいずれか１項に記載の方法。
【請求項５】
前記画像エッジ情報および前記画像のメタデータに基づいて、前記詳細画像情報に対して鮮鋭化処理を行うために必要な前記鮮鋭化利得を決定する前記ステップは、
前記画像情報の光感度と露光時間とに基づいて、鮮鋭度アルゴリズムパラメータグループを決定するステップであって、前記鮮鋭度アルゴリズムパラメータグループは、前記画像の前記鮮鋭化利得の最大値と、前記鮮鋭化利得の最小値と、前記画像エッジ情報の振幅の増加に伴って前記最小値から前記最大値に増加する前記鮮鋭化利得の第１勾配と、前記振幅の前記増加に伴って前記最大値から前記最小値に減少する前記鮮鋭化利得の第２勾配と、前記鮮鋭化利得が前記最大値と前記最小値の合計の半分であるときの前記画像エッジ情報の第１振幅および第２振幅とを有し、前記第１振幅は前記第２振幅よりも小さい、ステップと、
前記画像エッジ情報と鮮鋭度アルゴリズムパラメータグループとに基づいて、前記詳細画像情報に対して鮮鋭化処理を行うために必要な前記鮮鋭化利得を決定するステップと
を有する、請求項４に記載の方法。
【請求項６】
前記画像エッジ情報と前記鮮鋭度アルゴリズムパラメータグループとに基づいて、前記詳細画像情報に対して鮮鋭化処理を行うために必要な前記鮮鋭化利得を決定する前記ステップは、
式（１）
【数１】
2016503211.tif 000025
を使用することによって計算を行って前記鮮鋭化利得Sharpmapを取得するステップを有し、
edgInfoは前記画像エッジ情報の前記振幅であり、Peakは前記鮮鋭化利得の前記最大値であり、Lowは前記鮮鋭化利得の前記最小値であり、order1は前記振幅の前記増加に伴って前記最小値から前記最大値に増加する前記鮮鋭化利得の前記第１勾配であり、order2は前記振幅の前記増加に伴って前記最大値から前記最小値に減少する前記鮮鋭化利得の前記第２勾配であり、Cutoff1は前記鮮鋭化利得が前記最大値と前記最小値の半分であるときの前記画像エッジ情報の前記第１振幅であり、Cutoff2は前記鮮鋭化利得が前記最大値と前記最小値の半分であるときの前記画像エッジ情報の前記第２振幅である、請求項５に記載の方法。
【請求項７】
前記画像情報の光感度と露光時間とに基づいて、鮮鋭度アルゴリズムパラメータグループを決定する前記ステップの前に、前記方法は、
前記画像情報の前記光感度および前記露光時間と、前記鮮鋭度アルゴリズムパラメータグループとの間の対応関係を決定するステップ
をさらに有する、請求項５または６に記載の方法。
【請求項８】
前記画像の前記光感度および前記露光時間と、前記鮮鋭度アルゴリズムパラメータグループとの間の対応関係を決定する前記ステップは、
少なくとも１つの処理されるべき画像と前記少なくとも１つの処理されるべき画像のメタデータとを取得するステップであって、前記メタデータは光感度と露光時間とを有する、ステップと
エッジ保存フィルタを使用することによって、前記画像に対してエッジ保存フィルタリング処理を行って基礎画像情報を取得するステップであって、前記基礎画像情報は画像エッジ情報を有する、ステップと、
前記画像から前記基礎画像情報を差し引いて詳細画像情報を取得するステップと、
前記基礎画像情報に対してエッジ検出処理を行って前記画像エッジ情報を取得するステップと、
前記鮮鋭度アルゴリズムパラメータグループを調整して、少なくとも１つの鮮鋭度アルゴリズムパラメータグループを取得するステップと、
式（１）
【数２】
2016503211.tif 000026
を使用することによって計算を行って鮮鋭化利得Sharpmapを取得するステップであって、
edgInfoは前記画像エッジ情報の振幅であり、Peakは前記鮮鋭化利得の最大値であり、Lowは前記鮮鋭化利得の最小値であり、order1は振幅の増加に伴って前記最小値から前記最大値に増加する前記鮮鋭化利得の第１勾配であり、order2は前記振幅の前記増加に伴って前記最大値から前記最小値に減少する前記鮮鋭化利得の第２勾配であり、Cutoff1は前記鮮鋭化利得が前記最大値と前記最小値の半分であるときの前記画像エッジ情報の第１振幅であり、Cutoff2は前記鮮鋭化利得が前記最大値と前記最小値の半分であるときの前記画像エッジ情報の第２振幅である、ステップと、
前記鮮鋭化利得を使用することによって、前記詳細画像情報に対して鮮鋭化処理を行うステップと、
前記基礎画像情報と前記鮮鋭化された詳細画像情報とに対して合算を行って前記鮮鋭化された画像情報を取得するステップと、
前記鮮鋭化された画像情報の解像度がプリセット値に達するとき、前記画像情報の前記光感度と前記露光時間とに対応する鮮鋭度アルゴリズムパラメータグループを決定するステップと、
ガウス過程を使用することによって、且つ前記少なくとも１つの画像の前記光感度および前記露光時間と、前記対応する鮮鋭度アルゴリズムパラメータグループとに基づいて、前記画像情報の前記光感度および前記露光時間と、前記鮮鋭度アルゴリズムパラメータグループとの間の前記対応関係を取得するステップと
を有する、請求項７に記載の方法。
【請求項９】
画像鮮鋭化処理装置であって、
処理されるべき画像を取得し、前記画像に対してエッジ保存フィルタリング処理を行って基礎画像情報と詳細画像情報とを取得するように構成され、前記基礎画像情報は画像エッジ情報を有する、取得モジュールと、
前記画像エッジ情報に基づいて、前記詳細画像情報に対して鮮鋭化処理を行うために必要な鮮鋭化利得を決定するように構成される利得決定モジュールと、
前記鮮鋭化利得を使用することによって、前記詳細画像情報に対して鮮鋭化処理を行うように構成される鮮鋭化処理モジュールと
を有する装置。
【請求項１０】
前記取得モジュールは、前記利得決定モジュールが前記画像エッジ情報に基づいて、前記詳細画像情報に対して鮮鋭化処理を行うために必要な前記鮮鋭化利得を決定する前に、前記基礎画像情報に対してエッジ検出処理を行って前記画像エッジ情報を取得するようにさらに構成される、請求項９に記載の装置。
【請求項１１】
前記取得モジュールは、具体的には、エッジ保存フィルタを使用することによって、前記画像に対してエッジ保存フィルタリング処理を行って前記基礎画像情報を取得し、前記画像から前記基礎画像情報を差し引いて前記詳細画像情報を取得するように構成される、請求項９または１０に記載の装置。
【請求項１２】
前記利得決定モジュールは、具体的には、前記画像エッジ情報および前記画像のメタデータに基づいて、前記詳細画像情報に対して鮮鋭化処理を行うために必要な前記鮮鋭化利得を決定するように構成される、請求項９乃至１１のいずれか１項に記載の装置。
【請求項１３】
前記利得決定モジュールは、具体的には、前記画像の光感度と露光時間とに基づいて、鮮鋭度アルゴリズムパラメータグループを決定するように構成され、前記鮮鋭度アルゴリズムパラメータグループは、前記画像の前記鮮鋭化利得の最大値と、前記鮮鋭化利得の最小値と、前記画像エッジ情報の振幅の増加に伴って前記最小値から前記最大値に増加する前記鮮鋭化利得の第１勾配と、前記振幅の前記増加に伴って前記最大値から前記最小値に減少する前記鮮鋭化利得の第２勾配と、前記鮮鋭化利得が前記最大値と前記最小値の半分であるときの前記画像エッジ情報の第１振幅および第２振幅とを有し、前記第１振幅は前記第２振幅よりも小さく、且つ、前記画像エッジ情報と鮮鋭度アルゴリズムパラメータグループとに基づいて、前記詳細画像情報に対して鮮鋭化処理を行うために必要な前記鮮鋭化利得を決定するように構成される、請求項１２に記載の装置。
【請求項１４】
前記利得決定モジュールは、具体的には、
式（１）
【数３】
2016503211.tif 000027
を使用することによって計算を行って鮮鋭化利得Sharpmapを取得するように構成され、
edgInfoは前記画像エッジ情報の前記振幅であり、Peakは前記鮮鋭化利得の前記最大値であり、Lowは前記鮮鋭化利得の前記最小値であり、order1は前記振幅の前記増加に伴って前記最小値から前記最大値に増加する前記鮮鋭化利得の前記第１勾配であり、order2は前記振幅の前記増加に伴って前記最大値から前記最小値に減少する前記鮮鋭化利得の前記第２勾配であり、Cutoff1は前記鮮鋭化利得が前記最大値と前記最小値の半分であるときの前記画像エッジ情報の前記第１振幅であり、Cutoff2は前記鮮鋭化利得が前記最大値と前記最小値の半分であるときの前記画像エッジ情報の前記第２振幅である、請求項１３に記載の装置。
【請求項１５】
前記利得決定モジュールが前記画像の前記光感度と前記露光時間とに基づいて前記鮮鋭度アルゴリズムパラメータグループを決定する前に、前記画像の前記光感度および前記露光時間と、前記鮮鋭度アルゴリズムパラメータグループとの間の対応関係を決定するように構成される対応関係決定モジュールをさらに有する、請求項１３または１４に記載の装置。
【請求項１６】
前記対応関係決定モジュールは、
少なくとも１つの処理されるべき画像と前記少なくとも１つの処理されるべき画像のメタデータとを取得するように構成され、前記メタデータは光感度と露光時間とを有する、第１取得ユニットと、
エッジ保存フィルタを使用することによって、前記画像情報に対してエッジ保存フィルタリング処理を行って基礎画像情報を取得するように構成され、前記基礎画像情報は画像エッジ情報を有し、且つ、前記画像から前記基礎画像情報を差し引いて前記詳細画像情報を取得し、前記基礎画像情報に対してエッジ検出処理を行って前記画像エッジ情報を取得するように構成される第２取得ユニットと、
前記鮮鋭度アルゴリズムパラメータグループを調整して、少なくとも１つの鮮鋭度アルゴリズムパラメータグループを取得し、式（１）
【数４】
2016503211.tif 000028
を使用することによって計算を行って鮮鋭化利得Sharpmapを取得するように構成される第３取得ユニットであって、
edgInfoは前記画像エッジ情報の振幅であり、Peakは前記鮮鋭化利得の最大値であり、Lowは前記鮮鋭化利得の最小値であり、order1は振幅の増加に伴って前記最小値から前記最大値に増加する前記鮮鋭化利得の第１勾配であり、order2は前記振幅の前記増加に伴って前記最大値から前記最小値に減少する前記鮮鋭化利得の第２勾配であり、Cutoff1は前記鮮鋭化利得が前記最大値と前記最小値の半分であるときの前記画像エッジ情報の第１振幅であり、Cutoff2は前記鮮鋭化利得が前記最大値と前記最小値の半分であるときの前記画像エッジ情報の第２振幅である、第３取得ユニットと、
前記鮮鋭化利得を使用することによって、前記詳細画像情報に対して鮮鋭化処理を行うように構成される鮮鋭化ユニットと、
前記基礎画像情報と前記鮮鋭化された詳細画像情報とに対して合算を行って前記鮮鋭化された画像を取得し、前記鮮鋭化された画像の解像度がプリセット値に達するとき、前記画像の前記光感度と前記露光時間とに対応する鮮鋭度アルゴリズムパラメータグループを決定するように構成される決定ユニットと、
ガウス過程を使用することによって、且つ前記少なくとも１つの画像の前記光感度および前記露光時間と、前記対応する鮮鋭度アルゴリズムパラメータグループとに基づいて、前記画像の前記光感度および前記露光時間と、前記鮮鋭度アルゴリズムパラメータグループとの間の前記対応関係を取得するように構成される対応関係確立ユニットと
を有する、請求項１５に記載の装置。
【手続補正２】
【補正対象書類名】明細書
【補正対象項目名】００６１
【補正方法】変更
【補正の内容】
【００６１】
edgeInfoは各画素の画像エッジ情報の振幅であり、振幅は異なる値であってもよく、式（１）を使用することによって取得される対応する鮮鋭化利得もまた異なる値であるため、図３に示されるように、画像エッジ情報の振幅に関する鮮鋭化利得曲線は式（１）を使用することによって取得されてもよい。画素の画像エッジ情報の振幅は過度に高いかまたは過度に低く、決定された鮮鋭化利得はおよそ１であることが図３からわかる。従って、ノイズ増幅を抑制し、且つovershootの現象が発生することを回避するために、画素の詳細画像情報に対して鮮鋭化処理は全く行われないか、または鮮鋭化処理はほとんど行われない。一方で、画素の画像エッジ情報の振幅が値の範囲の中間にあるとき、決定された鮮鋭化利得は１よりも大きな値である。従って、画質を改善するために、これらの画素の詳細画像情報に対して鮮鋭化処理が行われる。図３に示される各画素の画像エッジ情報の振幅を使用することによって、各画素に対応する鮮鋭化利得が決定されてもよく、次いで、決定された鮮鋭化利得を使用することによって対応する画素の詳細画像情報に対して鮮鋭化処理が行われることがわかる。図３に示される鮮鋭化利得の値および画像エッジ情報の振幅は、説明のための例として使用され、本実施形態はこれに限定されるものではないことは留意されるべきである。
【手続補正３】
【補正対象書類名】明細書
【補正対象項目名】００８６
【補正方法】変更
【補正の内容】
【００８６】
本実施形態では、それぞれの処理されるべき画像情報に対して、少なくとも１つの鮮鋭化された画像情報の解像度がプリセット値に達したかどうかが決定される。鮮鋭化された画像情報の解像度がプリセット値に達したと決定された場合、鮮鋭化された画像が良好な結果を有することを示し、鮮鋭化処理のために選択された鮮鋭度アルゴリズムパラメータグループが決定され、鮮鋭度アルゴリズムパラメータグループは画像情報の光感度および露光時間に対応するものとしてマークされる。鮮鋭化された画像情報の解像度がプリセット値に達していないと決定された場合、鮮鋭化された画像は悪い結果を有することを示し、鮮鋭化処理のために選択された鮮鋭度アルゴリズムパラメータグループは不適切であることを示す。上述のプリセット値は適用シナリオおよび画像情報に基づいて決定され、本実施形態においてここでは限定されないことは留意されるべきである。画像情報の光感度および露光時間に対応する最適な鮮鋭度アルゴリズムパラメータグループは、プリセット値を使用することによって選択されてもよい。従って、少なくとも1つの画像情報の光感度および露光時間と、光感度および露光時間に対応する鮮鋭度アルゴリズムパラメータグループとを決定するために、それぞれの処理されるべき画像情報に対して、画像情報の光感度および露光時間に対応する鮮鋭度アルゴリズムパラメータグループが全て決定されることができる。
【手続補正４】
【補正対象書類名】明細書
【補正対象項目名】００８８
【補正方法】変更
【補正の内容】
【００８８】
本実施形態では、少なくとも１つの画像情報の光感度および露光時間と、光感度および露光時間に対応する鮮鋭度アルゴリズムパラメータグループとが決定された後、画像情報の光感度および露光時間と、鮮鋭度アルゴリズムパラメータグループとの間の対応関係が、ガウス過程を使用することによって取得されてもよく、すなわち、画像情報の光感度および露光時間と、鮮鋭度アルゴリズムパラメータグループとの間の関数関係Fが、ガウス過程法を使用することによって確立されてもよく、すなわち、鮮鋭度パラメータグループ＝F（光感度および露光情報）である。ガウス過程法は、従来技術におけるガウス過程法と一致し、詳細は、本実施形態においてここでは繰り返し説明されないことは留意されるべきである。
【手続補正５】
【補正対象書類名】明細書
【補正対象項目名】００８９
【補正方法】変更
【補正の内容】
【００８９】
本実施形態では、光感度および露光時間と鮮鋭度アルゴリズムパラメータグループとの間の対応関係が、画像情報の光感度および露光時間と対応する最適な鮮鋭度アルゴリズムパラメータとを使用することによって確立される。次いで、いずれか１つの光感度および露光時間に対応する鮮鋭度パラメータグループが、光感度および露光時間と鮮鋭度アルゴリズムパラメータとの間の対応関係に基づいて取得されてもよい。次いで、鮮鋭化利得Sharpmapが式（１）を使用することによって計算され、それによって、鮮鋭化処理はそのときの各画像情報の撮影環境に基づいて行われてもよいとともに、画像処理品質が様々な複雑な撮影環境において改善されることができることを実施する。
【手続補正６】
【補正対象書類名】明細書
【補正対象項目名】０１０５
【補正方法】変更
【補正の内容】
【０１０５】
図７は、本発明に係る画像鮮鋭化処理装置の第３実施形態の概略構成図である。図７に示されるように、本実施形態における装置は、メモリ２１と、メモリ２１に接続されるプロセッサ２２とを含み、メモリ２１は一組のプログラムコードを格納するとともに、メモリ２１は不揮発性メモリ（Non-volatile Memory）を含んでもよい。プロセッサ２２は中央処理装置（Central Processing Unit，略してCPU）または特定用途向け集積回路ASIC（Application Specific Integrated Circuit，略してASIC）であってもよく、または、本発明の実施形態を実施するための１つまたは複数の統合された回路として構成されてもよい。プロセッサ２２は、以下の操作：
処理されるべき画像情報を取得する操作と、
画像情報に対してエッジ保存フィルタリング処理を行って基礎画像情報と詳細画像情報とを取得する操作であって、基礎画像情報は画像エッジ情報を含む、操作と、
画像エッジ情報に基づいて、詳細画像情報に対して鮮鋭化処理を行うために必要な鮮鋭化利得を決定する操作と、
鮮鋭化利得を使用することによって、詳細画像情報に対して鮮鋭化処理を行う操作と
を実行するためにメモリ２１内に格納されたプログラムコードを呼び出すように構成される。
【国際調査報告】
2016503211.tif 000029
2016503211.tif 000030
2016503211.tif 000031
2016503211.tif 000032